(57)【要約】【課題】排水性能の向上を図った排水集合管を提供すること。【解決手段】縦軸心を有する筒状胴部１の側面に側部開口部２を有し、該側部開口部２に横枝管接続部３が設けられ、前記胴部１の上下開口部に上部立管接続部４と下部立管接続部５が設けられた排水集合管において、前記側部開口部２の上方の胴部内面に、上方から流下する排水が前記側部開口部２に逆流しないようにする逆流防止部８が、胴部径内方向に突出成形され、前記逆流防止部８の上方の胴部内面に、該胴部１の軸中心より前記側部開口部２を見たとき左側に、上方から流下する排水を胴部軸心側へ偏流させる軸心偏流部９が、胴部１の径内方向に突出成形され、該軸心偏流部９の突出量Ｂ１は、前記逆流防止部８の突出量Ｂ２よりも大きくされている。【選択図】　　　図１
2004092226.tif 000002
【特許請求の範囲】
【請求項１】
縦軸心を有する筒状胴部の側面に側部開口部を有し、該側部開口部に横枝管接続部が設けられ、前記胴部の上下開口部に上部立管接続部と下部立管接続部が設けられた排水集合管において、
前記側部開口部の上方の胴部内面に、上方から流下する排水が前記側部開口部に逆流しないようにする逆流防止部が、胴部径内方向に突出成形され、
前記逆流防止部の上方の胴部内面に、該胴部の軸中心より前記側部開口部を見たとき左側に、上方から流下する排水を胴部軸心側へ偏流させる軸心偏流部が、胴部の径内方向に突出成形され、
該軸心偏流部の突出量は、前記逆流防止部の突出量よりも大きくされていることを特徴とする排水集合管。
【請求項２】
前記横枝管接続部には、横枝管から側部開口部に流入する排水を、前記胴部の軸中心より前記側部開口部を見たとき、左側に偏流させる側部偏流部が設けられていることを特徴とする請求項１記載の排水集合管。
【請求項３】
前記側部偏流部は、前記胴部の軸中心より前記側部開口部を見たとき、前記側部開口部の右側を閉鎖する壁面により構成されていることを特徴とする請求項２記載の排水集合管。
【請求項４】
前記軸心偏流部の上面は、上部傾斜面と下部傾斜面とを有し、該上部傾斜面は、前記下部傾斜面よりも上下方向に長く且つ急な傾斜面とされていることを特徴とする請求項１〜３の何れか一つに記載の排水集合管。
【請求項５】
胴部の軸中心より前記側部開口部を見たとき、前記逆流防止部の下縁が水平状とされており、前記側部偏流部の壁面の端縁が垂直状として側部開口部の右縁を形成しており、側部開口部のその他の縁は、円弧状に形成されていることを特徴とする請求項３又は４記載の排水集合管。
【請求項６】
前記胴部の軸中心より前記側部開口部を見たとき、前記横枝管接続部の左側側面は、左側方へ膨らまされていることを特徴とする請求項１〜５の何れか一つに記載の排水集合管。
【請求項７】
前記横枝管接続部の内面下部は、所定半径のアール部又は面取り部を介して前記胴部に接続されていることを特徴とする請求項１〜６の何れか一つに記載の排水集合管。
【請求項８】
前記胴部の内径は、立管の内径と同じとされていることを特徴とする請求項１〜７の何れか一つに記載の排水集合管。
【発明の詳細な説明】
【０００１】
【発明の属する技術分野】
本発明は、高層集合住宅等の排水配管に用いられる排水集合管に関する。
【０００２】
【従来の技術】
この種の排水集合管は、縦軸心を有する筒状胴部の側面に側部開口部を有し、該側部開口部に横枝管接続部が設けられ、前記胴部の上下開口部に上部立管接続部と下部立管接続部が設けられたものである。
この排水集合管を高層集合住宅等の排水配管に用いるとき、排水能力以外で要求される諸条件として、次のようなものがある。
１）枝管流入部の通過球径が５８ｍｍ以上（便器の設計基準）であること。
２）枝管流入部に汚物が詰まることがないこと。
３）洗濯排水性能が優れていること。
４）立管を流下する排水が、枝管に逆流しないこと。
５）横枝管が、床面から１０ｍｍ以上浮かないこと。
６）軽量、コンパクトであること。
７）胴部を止水テスト用のプラグが通過可能であること。（通過球径は８７ｍｍ以上が好ましい。）
前記要求の内、「４）立管を流下する排水が、枝管に逆流しないこと。」という要求を達成するために、次の手段が考えられる。
イ）枝管流入部の開口部の上に庇を設けて、開口部の方へ水が向かわないようにする（例えば、特開２００１−２６９５６号公報参照）。
ロ）胴部の内径を充分大きいものとして、流下水が開口部まで届かないようにする（例えば、特開平６−１１７０００号公報参照）。
ハ）枝管流入部の下側を十分大きなものとし、開口部へ向かった水を下へ流す（例えば、特開２００１−２２７０１９号公報参照）。
【０００３】
しかし、前記ロ）の方法では、本体が大きくなってしまうため、前記６）の条件を満たすことができない。
更に、内径を大きくした後、又内径を絞る必要があるが、逆流がない程度にまで内径を大きくした場合には、前記５）の条件を満たす形状を達成するのが困難である。
前記ハ）の方法では、枝管流入部の下側が大きくなってしまうため、前記５）の条件を満たすことが困難になる。また、前記６）の達成も困難になる。
【０００４】
従って、前記イ）のような「庇」を設けるのが適当である。
しかし、前記特開２００１−２６９５６号公報に記載のような庇を設けると、この庇により、流下水に旋回力が付与され、前記３）の条件を満たさなくなる。
すなわち、洗剤を含んだ排水に旋回性を付与すると、横主管内において泡立ち、該泡が管内通気空間を塞ぎ、洗濯排水性能を低下させるおそれのあるものであった。
そこで、本願出願人は、特開２００２−１５５５５６号公報に記載のごとく、旋回性を付与しない方法によるものとして、径内方向へ所定量突出する庇部を設けた排水集合管を提案した。
【０００５】
【発明が解決しようとする課題】
本発明は、前記特開２００２−１５５５５６号公報に記載の排水集合管をさらに改良し、前記諸条件を満たすべく、さらに性能の向上を図った排水集合管を提供するとを目的とする。
【０００６】
【課題を解決するための手段】
前記目的のため、本発明は、次の手段を講じた。即ち、本発明の特徴とするところは、縦軸心を有する筒状胴部の側面に側部開口部を有し、該側部開口部に横枝管接続部が設けられ、前記胴部の上下開口部に上部立管接続部と下部立管接続部が設けられた排水集合管において、前記側部開口部の上方の胴部内面に、上方から流下する排水が前記側部開口部に逆流しないようにする逆流防止部が、胴部径内方向に突出成形され、前記逆流防止部の上方の胴部内面に、該胴部の軸中心より前記側部開口部を見たとき左側に、上方から流下する排水を胴部軸心側へ偏流させる軸心偏流部が、胴部の径内方向に突出成形され、該軸心偏流部の突出量は、前記逆流防止部の突出量よりも大きくされている点にある。
【０００７】
前記横枝管接続部には、横枝管から側部開口部に流入する排水を、前記胴部の軸中心より前記側部開口部を見たとき、左側に偏流させる側部偏流部が設けられているのが好ましい。
前記側部偏流部は、前記胴部の軸中心より前記側部開口部を見たとき、前記側部開口部の右側を閉鎖する壁面により構成されているのが好ましい。
前記軸心偏流部の上面は、上部傾斜面と下部傾斜面とを有し、該上部傾斜面は、前記下部傾斜面よりも上下方向に長く且つ急な傾斜面とされているのが好ましい。
【０００８】
胴部の軸中心より前記側部開口部を見たとき、前記逆流防止部の下縁が水平状とされており、前記側部偏流部の壁面の端縁が垂直状として側部開口部の右縁を形成しており、側部開口部のその他の縁は、円弧状に形成されているのが好ましい。
前記胴部の軸中心より前記側部開口部を見たとき、前記横枝管接続部の左側側面は、左側方へ膨らまされているのが好ましい。
前記横枝管接続部の内面下部は、所定半径のアール部又は面取り部を介して前記胴部に接続されているのが好ましい。
【０００９】
前記胴部の内径は、立管の内径と同じとされているのが好ましい。
【００１０】
【発明の実施の形態】
以下、本発明の実施の形態を図面に基づき説明する。
図１〜４に示す如く、本発明に係わる排水集合管は、縦軸心を有する筒状胴部１の側面に側部開口部２を有し、該側部開口部２に横枝管接続部３が設けられ、前記胴部１の上下開口部に上部立管接続部４と下部立管接続部５が設けられている。
図３に示すように、横枝管接続部３は受け口式とされ、横枝管６が挿入接続される。上部立管接続部４も受け口式とされ、立管７が挿入接続される。下部立管接続部５は、差し口式とされ、立管７の受け口が接合される。図３の状態において、横枝管６と床スラブ間の距離は、１０ｍｍ以下とされている。また、前記胴部１の内径は、立管７の内径と同じとされている。なお、「同じ」とは完全同一を指すのではなく略同じものも含む概念である。
【００１１】
このように胴部１の径を立管７と同じとすることにより、前記条件６）の軽量コンパクト化の要求を満たすことができる。
図５〜９にも示すように、前記側部開口部２の上方の胴部内面に、上方から流下する排水が前記側部開口部２に逆流しないようにする逆流防止部８が、胴部径内方向に庇状に突出成形されている。
前記逆流防止部８は、胴部１の軸中心より前記側部開口部２を見たとき、軸心を介して左右両側に対称状に設けられている。この逆流防止部８の下縁は、水平状とされている。逆流防止部８の上縁は、円弧状とされている（図７参照）。
【００１２】
前記逆流防止部８の上方の胴部内面に、該胴部１の軸中心より前記側部開口部２を見たとき、軸心より左側位置に、上方から流下する排水を胴部軸心側へ偏流させる軸心偏流部９が、胴部１の径内方向に庇状に突出成形されている。そして、この軸心偏流部９の突出量（Ｂ１）は、前記逆流防止部８の突出量（Ｂ２）よりも大きくされている。逆流防止部８の突出量（Ｂ２）は、胴部内周面より約６ｍｍ程度であり、１０ｍｍ未満とされており、軸心偏流部９の突出量（Ｂ１）は、胴部内周面より約１７ｍｍ程度であり、１０ｍｍから２０ｍｍの範囲が好ましい（４インチ立管用）（図５参照）。１０ｍｍより小さいと排水能力を発揮する効果が低く、２０ｍｍより大きいと詰まりの問題が発生する。
【００１３】
軸心偏流部９の突出量は、前記条件７）のテスト用プラグが通過可能なものとされている。
なお、「Ｂ１／立管内径＝１０％〜２０％」が適当である。この実施の形態では、約１７％とされている。
胴部１の軸中心より前記側部開口部２を見たとき、前記軸心偏流部９の上縁は水平状とされ、軸心偏流部９の右縁は垂直状とされ、同左縁は下方が左側へ偏位する傾斜縁とされ、下縁は前記逆流防止部の上縁に沿った円弧状とされている（図７参照）。
【００１４】
前記軸心偏流部９の上面は、上部傾斜面１０と下部傾斜面１１とを有し、該上部傾斜面１０は、前記下部傾斜面１１よりも上下方向に長く且つ急な傾斜面とされている
また実験の結果、前記軸心偏流部９を、胴部１の軸中心より前記側部開口部２を見たとき、左側に配置するのが最も排水性能が良好となった。排水性能の面から、前記上部傾斜面１０の縦軸心に対する傾斜角度θ１は、１０°〜３０°の範囲であればよく、２５°が最も好ましい。また、下部傾斜面の縦軸心に対する傾斜角度θ２は、４０°〜７０°の範囲であればよく、５７°が最も好ましい。
【００１５】
前記横枝管接続部３には、横枝管６から側部開口部２に流入する排水を、前記胴部１の軸中心より前記側部開口部２を見たとき、左側に偏流させる側部偏流部１２が設けられている。この側部偏流部１２は、前記胴部１の軸中心より前記側部開口部２を見たとき、前記側部開口部２の右側を閉鎖する壁面により構成されている
しかして、胴部１の軸中心より前記側部開口部２を見たとき、前記逆流防止部８の下縁が水平状とされ、前記側部偏流部１２の壁面の端縁が垂直状として側部開口部２の右縁を形成しており、側部開口部２のその他の縁は、円弧状に形成されている（図７参照）。
【００１６】
このように、前記側部偏流部１２を設けて横枝管６から流入する排水を、横向きに指向させているので、便器などからの大量の排水に対しても、立管７から流下する排水とスムーズに合流することになる。
前記胴部１の軸中心より前記側部開口部２を見たとき、前記横枝管接続部３の左側側面は、左側方へ膨らまされた膨出部１３とされている（図８，９参照）。
このように膨らませることにより、前記条件１）のテスト球を通過可能としている。
【００１７】
そして、前記横枝管接続部３の内面下部は、所定半径のアール部１４を介して前記胴部１に接続されている。前記アール部１４の半径Ｒは、約２０ｍｍとされている（図５，６参照）。
このような小さな半径Ｒのアール部１４を設けることにより、前記条件５）の床面からの高さを低くすることができる。なお、このアール部１４は、傾斜面の面取り部であっても良い。
上記構成の排水集合管によれば、側部開口部２の上方に、逆流防止部８と軸心偏流部９とを上下に隔てて設け、逆流防止機能と排水性能発揮という２つの機能を分担させたので、前記従来のものに比べ、排水性能が良好になり、前記諸条件を満たすことができた。
【００１８】
尚本発明は、前記実施の形態のものに限定されるものではなく、下部立管接続部等はフランジ接続形式のものであっても良い。
以下、本件発明に至った各種実験例を次表に示す。
以下の表に示す「枝管上部」とは、軸心偏流部９と逆流防止部８に係わる事項であり、「枝管流入部　側部」とは、横枝管接続部３の側部偏流部１２と側方膨出部１３に係わるものであり、「枝管流入部　下部」とは、アール部１４に係わるものである。
【００１９】
尚、これら表における「左右」は、枝管接続部の開口側より見た場合をいい、従って、胴部の軸中心より側部開口部を見た場合とは逆である。
【００２０】
【表１】
2004092226.tif 000003
【００２１】
枝管流入部の落とし込みの条件は、従来継手の方が有利であるにもかかわらず、試作品１の方が排水能力が高い。このことから、側部開口部の上方に、軸心偏流部９を付けることで、排水能力は大幅に向上することが分かる。
【００２２】
【表２】
2004092226.tif 000004
【００２３】
試作品３は、軸心偏流部９に代えて旋回羽根としたものである。旋回羽根とした方が、排水能力は高いが、洗濯排水性能が大幅に低下する。旋回羽根形状を小さくしたり、旋回羽根の角度を変更したりした試作品もテストしたが、洗濯性能が上がらないため、本発明では、旋回羽根は不採用とした。
【００２４】
【表３】
2004092226.tif 000005
【００２５】
試作品６は、軸心偏流部９を左右両側に設けたものであり、試作品２の片側に設けたものよりも排水能力が劣る。本発明では、軸心偏流部９を片側に設けることとした。
【００２６】
【表４】
2004092226.tif 000006
【００２７】
試作品７は、側部偏流部１２を設けたものであり、設けないものに比べて排水能力が向上していることが分かる。
【００２８】
【表５】
2004092226.tif 000007
【００２９】
側部膨出部１３を設けると、排水能力が向上する。また、通過球径を大きくすることができる。
【００３０】
【表６】
2004092226.tif 000008
【００３１】
逆流防止部８を軸心偏流部９よりも下方に設ける方が排水能力が高いことが分かる。
【００３２】
【表７】
2004092226.tif 000009
【００３３】
この表より、アール部１４を有する方が排水能力が高いことが分かる。
【００３４】
【発明の効果】
本発明によれば、従来のものに比べ、排水性能が向上した。
【図面の簡単な説明】
【図１】図１は、本発明の実施の形態に係わる排水集合管の正面図である。
【図２】図２は、図１に示す排水集合管の平面図である。
【図３】図３は、同左側面図である。
【図４】図４は、上部立管接続部側より見た斜視図である。
【図５】図５は、図１のＡ−Ａ線断面図である。
【図６】図６は、図１のＢ−Ｂ線断面図である。
【図７】図７は、図３のＣ−Ｃ線断面図である。
【図８】図８は、図５のＤ−Ｄ線断面図である。
【図９】図９は、図６のＥ−Ｅ線断面図である。
【符号の説明】
１　胴部
２　側部開口部
３　横枝管接続部
４　上部立管接続部
５　下部立管接続部
８　逆流防止部
９　軸心偏流部
１０　上部傾斜面
１１　下部傾斜面
１２　側部偏流部
１３　膨出部
１４　アール部
【図１】
2004092226.tif 000010
【図２】
2004092226.tif 000011
【図３】
2004092226.tif 000012
【図４】
2004092226.tif 000013
【図５】
2004092226.tif 000014
【図６】
2004092226.tif 000015
【図７】
2004092226.tif 000016
【図８】
2004092226.tif 000017
【図９】
2004092226.tif 000018